(57)【要約】【課題】市販されている缶等の筒状の容器をそのまま上下に積み重ねた状態で冷蔵庫や棚などに収容することができる収容容器を提供すること。【解決手段】本発明では、缶等の筒状の容器（２）を上下に積み重ねて収容できる収容容器（１）において、底部（３）と天井部（４）との間に、上下に積重させた容器（２）の外周を囲繞するとともに前方を容器（２）の幅よりも狭い間隔で開口させた周部（５）を設けることにした。また、本発明では、前記天井部（４）に容器（２）を挿入するための挿入開口（８）を形成することにした。さらに、本発明では、前記周部（５）が可撓性を有して前記開口から容器（２）を取出せるように前記開口を拡幅可能とすることにした。【選択図】図１
2020132238.tif 000002
【特許請求の範囲】
【請求項１】
缶等の筒状の容器を上下に積み重ねて収容できる収容容器であって、
底部と天井部との間に、上下に積重させた容器の外周を囲繞するとともに前方を容器の幅よりも狭い間隔で開口させた周部を設けたことを特徴とする収容容器。
【請求項２】
前記天井部に容器を挿入するための挿入開口を形成したことを特徴とする請求項１に記載の収容容器。
【請求項３】
前記周部が可撓性を有して前記開口から容器を取出せるように前記開口を拡幅可能としたことを特徴とする請求項１又は請求項２に記載の収容容器。
【発明の詳細な説明】
【技術分野】
【０００１】
本発明は、缶等の筒状の容器を上下に積み重ねて収容できる収容容器に関するものである。
【背景技術】
【０００２】
従来より、ビールやジュースなどの飲料に代表されるように、缶や瓶などの筒状の容器で消費者に提供（販売）されている。この筒状の容器は、高さが異なる様々な形状の容器で提供されている。
【０００３】
そのため、筒状の容器を冷蔵庫や棚などに収容した場合には、容器の上方に無駄な空間（デッドスペース）が形成されてしまう。
【０００４】
そこで、従来においては、上下に連結できる筒状の容器が考案され、複数の筒状の容器を上下に連結した状態で冷蔵庫や棚などに収容することができるようにしたものが考えられてはいる（たとえば、特許文献１参照。）。
【先行技術文献】
【特許文献】
【０００５】
【特許文献１】特開２００１−１９２０３２号公報
【発明の概要】
【発明が解決しようとする課題】
【０００６】
ところが、上記従来の上下に連結できるようにした特殊な構造の容器では、消費者に提供する段階で特殊な容器に飲料等を収容しなければならず、汎用性がなく、普及していないのが現状である。
【課題を解決するための手段】
【０００７】
そこで、請求項１に係る本発明では、缶等の筒状の容器を上下に積み重ねて収容できる収容容器であって、底部と天井部との間に、上下に積重させた容器の外周を囲繞するとともに前方を容器の幅よりも狭い間隔で開口させた周部を設けることにした。
【０００８】
また、請求項２に係る本発明では、前記請求項１に係る本発明において、前記天井部に容器を挿入するための挿入開口を形成することにした。
【０００９】
また、請求項３に係る本発明では、前記請求項１又は請求項２に係る本発明において、前記周部が可撓性を有して前記開口から容器を取出せるように前記開口を拡幅可能とすることにした。
【発明の効果】
【００１０】
そして、本発明では、以下に記載する効果を奏する。
【００１１】
すなわち、本発明では、缶等の筒状の容器を上下に積み重ねて収容できる収容容器であって、底部と天井部との間に、上下に積重させた容器の外周を囲繞するとともに前方を容器の幅よりも狭い間隔で開口させた周部を設けることにしているために、消費者に提供される既存の形態の容器をそのまま利用することができ、汎用性が高く広く普及させることができるものであり、しかも、周部の開口から内部に収容された容器の内容を目視により容易に確認することができるものである。
【００１２】
特に、前記天井部に容器を挿入するための挿入開口を形成することにした場合には、天井部の挿入開口から容器を挿入するだけで容易に容器を収容することができ、使い勝手を向上させることができる。
【００１３】
また、前記周部が可撓性を有して前記開口から容器を取出せるように前記開口を拡幅可能とすることにした場合には、周部の開口を拡幅して内部の容器を取出すことができ、これによっても使い勝手を向上させることができる。
【図面の簡単な説明】
【００１４】
【図１】本発明に係る収容容器を示す正面図（ａ）、右側面図（ｂ）、背面図（ｃ）、平面図（ｄ）、底面図（ｅ）。
【図２】同正面断面図（ａ）、上方視した中央断面図（ｂ）、下方視した中央断面図（ｃ）。
【発明を実施するための形態】
【００１５】
以下に、本発明に係る収容容器の具体的な構成について図面を参照しながら説明する。
【００１６】
図１及び図２に示すように、収容容器１は、複数の缶等の筒状の容器２を上下に積み重ねた状態で収容することができる容器となっている。
【００１７】
収容容器１は、底部３と天井部４との間に周部５を形成して、全体で上下に伸延する縦長筒形状となっている。なお、ここでは、円筒形状としているが、これに限定されるものではない。
【００１８】
底部３は、内部の最下部に収容される容器２が載置される部分であり、容器２の底よりも一回り大きい円形薄板で形成されており、周囲に周部５の下端部を挿入させるための円環状の溝６を形成している。
【００１９】
天井部４は、内部に収容される容器２の水平断面よりも一回り大きい円環枠板で形成されており、周囲に周部５の上端部を挿入させるための円環状の溝７を形成するとともに、中央部に容器２の水平断面よりも一回り広い断面積を有して容器２を挿入することができる挿入開口８を形成している。
【００２０】
周部５は、可撓性を有する矩形薄板を内部に収容される容器２の水平断面よりも一回り大きく丸めて形成されており、下端部を底部３の溝６に挿入するとともに、上端部を天井部４の溝７に挿入して、上下に積重させた容器２の外周を囲繞し、前方に容器２の幅よりも狭い間隔で開口９を形成している。この開口９は、周部５の可撓性によって容器２の幅よりも広い間隔にまで拡幅することができるようになっている。
【００２１】
収容容器１は、以上に説明したように構成しており、天井部４の挿入開口８から複数の容器２を順に挿入することで底部３に複数の容器２を積重させた状態で収容することができ、周部５の開口９を拡幅させることで内部から容器２を取出すことができるようになっている。
【００２２】
なお、収容容器１は、上記構成に限定されるものではなく、天井部４の挿入開口８を無くして周部５の開口９から容器２を挿入するようにしてもよく、周部５の可撓性を無くして天井部４の挿入開口８から容器２を取出すようにしてもよい。
【００２３】
以上に説明したように、収容容器１は、底部３と天井部４との間に、上下に積重させた容器２の外周を囲繞するとともに前方を容器２の幅よりも狭い間隔で開口させた周部５を設けた構成となっている。
【００２４】
そのため、上記構成の収容容器１では、缶等の筒状の容器２を上下に積み重ねて収容することができ、筒状の容器２を冷蔵庫や棚などに収容した場合に容器２の上方に無駄な空間（デッドスペース）が形成されてしまうのを防止して容器２の収容効率を向上させることができる。
【００２５】
さらに、上記構成の収容容器１では、消費者に提供される既存の形態の容器２をそのまま利用することができ、汎用性が高く広く普及させることができる。
【００２６】
しかも、上記構成の収容容器１では、周部５の開口９から内部に収容された容器２の内容（種類等）を目視により容易に確認することができ、使い勝手を良好にすることができる。
【００２７】
また、上記収容容器１は、天井部４に容器２を挿入するための挿入開口８を形成した構成となっている。
【００２８】
そのため、上記収容容器１では、天井部４の挿入開口８から容器２を挿入するだけで容易に容器２を収容することができ、しかも、複数の容器２を順に挿入するだけで複数の容器２を容易に積重させることができ、使い勝手を向上させることができる。
【００２９】
さらに、上記収容容器１は、周部５が可撓性を有して開口９から容器２を取出せるように開口９を拡幅可能とした構成となっている。
【００３０】
そのため、上記構成の収容容器１では、周部５の開口９を拡幅して内部の容器２を取出すことができ、これによっても使い勝手を向上させることができる。
【符号の説明】
【００３１】
１  収容容器                  ２  容器
３  底部                      ４  天井部
５  周部                      ６  溝
７  溝                        ８  挿入開口
９  開口
【図１】
2020132238.tif 000003
【図２】
2020132238.tif 000004